(57)【要約】  本発明はカップが収容されることができる空間を可変的に構成することにより、携帯すべきカップの数に合わせてカップキャリアを変形させて利用することができながらも、一つのカップキャリアに多数のカップを収容しても、カップの重量を効果的に支えることができて、カップキャリアの安全性を確保することができる資源節約型無接着エコカップキャリアに関するものである。
2020521689.tif 000002
【特許請求の範囲】
【請求項１】
第１板と第２板に分けられるように中心折曲線によって半分に折り畳まれる板状の板材と、
前記第１板の上部の一部面が切開されて折り畳まれ、中央にカップを据え置くための第１固定具が形成される第１据置片と、
前記第２板の上部の一部面が切開されて折り畳まれ、中央にカップを据え置くための第２固定具が形成される第２据置片と、
第１板と第２板の下部を同時に切開する一対の切開線により板材に形成される第３据置片と、を含み、
前記第１据置片と第２据置片の中の少なくともいずれか一つ以上に可動片が部分的に切開されて折り畳まれ、
前記第３据置片は、第１板と第２板とが対向する方向に折り畳まれる時、第１板と第２板とが対向する内側に引出されながら、仮想の中空部を形成して前記中空部にカップが置かれることができることを特徴とする資源節約型無接着エコカップキャリア。
【請求項２】
前記可動片には先端が折り畳まれることができるように折曲線が形成され、
前記第１板と第２板の中の少なくともいずれか一つ以上の下部には折り畳まれた可動片の先端が挿入固定される挿入口が貫通して形成され、
前記先端が挿入口に挿入固定されてカップの外周面を支持すればカップが水平に保持されることを特徴とする請求項１に記載の資源節約型無接着エコカップキャリア。
【請求項３】
前記カップキャリアは、
板材に形成され、前記第１板と第２板とが互いに対向するように折り畳まれる時、第１板と第２板とが折り畳まれた状態を保持するための固定手段をさらに含むことを特徴とする請求項１に記載の資源節約型無接着エコカップキャリア。
【請求項４】
前記カップキャリアは、前記第１固定具と第２固定具の中の少なくともいずれか一つ以上の直径を可変させることができるように、第１据置片と第２据置片の中の少なくともいずれか一つ以上に形成される可変手段をさらに含むことを特徴とする請求項１に記載の資源節約型無接着エコカップキャリア。
【請求項５】
前記カップキャリアは、板材が偏心で傾くことを防止するように板材の一側に引出されて地面に支持されるように、前記板材の一部が切開されて形成される支持片をさらに含むことを特徴とする請求項１に記載の資源節約型無接着エコカップキャリア。
【発明の詳細な説明】
【技術分野】
【０００１】
本発明は資源節約型無接着エコカップキャリアに関し、より詳しくは、カップが収容されることができる空間を可変的に構成することにより、携帯すべきカップの数に合わせてカップキャリアを変形させて活用することができる資源節約型無接着エコカップキャリアに関する。
【背景技術】
【０００２】
一般的に知られている多様なファーストフード店、コーヒーショップでは、コーラ、サイダー、ジュースなど様々なドリンクを販売している。そして、これを好んで食べる人々は、食物の特性上、携帯に便利で移動しながら食物を摂取することが多く、このような場合に、片手で飲み物が入ったカップを持ち、他方の手で食べ物を持っている状態になる。
【０００３】
ところが、人々が上のように片手に飲み物の容器を持ち、他方の手には食物の容器を持っている状態で、中心を取ることが困難で、他の行動をする場合には、飲料水や食べ物を落とす可能性があり、両手を使用できないため行動が不自然な問題がある。
【０００４】
そこで、前述した問題点を克服するために飲料容器用キャリアが多様に開発されている。
【０００５】
図１は従来技術による飲料容器キャリアを示した図である。
【０００６】
図１に示すように、従来技術による飲料容器キャリアは、一側面の一方にはフック状の雄係止片１１を有し、他側には雌スリットホール１２を有する上部が開口されたボックス１０、前記ボックス１０の開口上部を横切る上部に取っ手用穴１３を有するハンガー片１４、前記ハンガー片の両側に平面上直角するように延長されて前記ボックス１０の開口上部端と一体に延長された支持片１５、１６で形成された取っ手１７で構成される。
【０００７】
しかしながら、従来技術による飲料容器キャリアは、一定の体積を保持するしかなく、所定の空間を占有するしかないため、キャリアを保管する別途の場所を用意しなければならなく、保管可能な数量も非常に限定的であるしかなかった。
【０００８】
また、従来の飲料容器キャリアの場合、容器キャリアに収容することができる飲料容器収容空間の数を固定して提供しているので、例えば、２つの飲料容器を収容することができる容器キャリアを利用して、３つの飲料容器を収容して携帯しようとする場合、少なくとも容器キャリアを２つ以上備えて３つの飲料容器を容器キャリアにそれぞれ分けて携帯しなければならない。つまり、１つの飲料容器が収容された容器キャリアは飲料容器が収容された方向に重量が傾き、容器キャリアの中心を容易に取ることができなく、飲料容器が収容されていない余剰空間が発生するため、容器キャリアを効率的に使用することができないという問題点がある。
【０００９】
また、従来の飲料容器キャリアは、一定の形状を保持するために複数の部材の接着工程を必ず経るため、キャリアの製作工程が複雑になり、それにより製造コストの上昇、効用性の低下などの問題が伴う。
【００１０】
また、上記した飲料容器キャリアの場合、飲料容器の中で最も大きいカップを基準として製作されるため、例えば飲料容器がスモールサイズである場合、飲料メーカーや注文者が飲料容器を入れたり取り出すことが不便であり、不注意により飲料をこぼす虞があった。さらに飲料が熱い場合、飲料によって飲料メーカーや注文者が火傷を負う虞があるという問題があった。
【先行技術文献】
【特許文献】
【００１１】
【特許文献１】大韓民国登録実用新案第２０−０４７４３６６号公報
【発明の概要】
【発明が解決しようとする課題】
【００１２】
本発明は、前記従来技術における諸問題点を考慮して、これを解決するために創出されたもので、カップが収容されることができる空間を可変的に構成することにより、携帯すべきカップの数に合わせてカップキャリアを変形させて利用することができながらも、一つのカップキャリアに多数のカップを収容しても、カップの重量を効果的に支えることができて、カップキャリアの安全性を確保することができる資源節約型無接着エコカップキャリアを提供することにその目的がある。
【００１３】
また、カップキャリアを製作するにあたり、接着工程を省略することにより、コストを低減し、生産効率を向上させることができる資源節約型無接着エコカップキャリアを提供することにその目的がある。
【００１４】
また、カップキャリアの骨組みを形成するための別途の組立工程を省略することにより、簡単に活用することができ、カップキャリアが占める体積を最小化して保管の容易性が増大され、速やかにカップキャリアを展開することができて、使用が簡単であり、カップの様々なサイズに合わせて、多様なカップを互換可能に収容することができる資源節約型無接着エコカップキャリアを提供することにその目的がある。
【課題を解決するための手段】
【００１５】
前記目的を達するための手段として、第１板と第２板に分けられるように中心折曲線によって半分に折り畳まれる板状の板材と、前記第１板の上部の一部面が切開されて折り畳まれ、中央にカップを据え置くための第１固定具が形成される第１据置片と、前記第２板の上部の一部面が切開されて折り畳まれ、中央にカップを据え置くための第２固定具が形成される第２据置片と、第１板と第２板の下部を同時に切開する一対の切開線により板材に形成される第３据置片と、を含み、前記第１据置片と第２据置片の中の少なくともいずれか一つ以上に可動片が部分的に切開されて折り畳まれ、前記第３据置片は、第１板と第２板とが対向する方向に折り畳まれる時、第１板と第２板とが対向する内側に引出されながら、仮想の中空部を形成して前記中空部にカップが置かれることができることを特徴とする。
【００１６】
前記可動片には先端が折り畳まれることができるように折曲線が形成され、前記第１板と第２板の中の少なくともいずれか一つ以上の下部には折り畳まれた可動片の先端が挿入固定される挿入口が貫通して形成され、前記先端が挿入口に挿入固定されてカップの外周面を支持すればカップが水平に保持されることを特徴とする。
【００１７】
前記カップキャリアは、板材に形成され、前記第１板と第２板とが互いに対向するように折り畳まれる時、第１板と第２板とが折り畳まれた状態を保持するための固定手段をさらに含むことを特徴とする。
【００１８】
前記カップキャリアは、前記第１固定具と第２固定具の中の少なくともいずれか一つ以上の直径を可変させることができるように、第１据置片と第２据置片の中の少なくともいずれか一つ以上に形成される可変手段をさらに含むことを特徴とする。
【００１９】
前記カップキャリアは、板材が偏心で傾くことを防止するように板材の一側に引出されて地面に支持されるように、前記板材の一部が切開されて形成される支持片をさらに含むことを特徴とする。
【発明の効果】
【００２０】
本発明による効果は、以下の通りである。
【００２１】
第一に、携帯すべきカップの数に合わせて、第３据置片が選択的に引き出されるように操作してカップが収容されない余剰空間が発生されることを防止することができながらも、携帯すべきカップの数に合わせてカップキャリアを適切に変形させて活用することができるという効果を奏する。
【００２２】
第二に、カップキャリアを製作するにあたり、接着工程を省略することができ、カップキャリアの骨組みを形成するための別途の組立工程を省略することにより、コストを低減し、生産効率を向上させることができる効果を期待することができる。
【００２３】
第三に、平らな板材を基準として、第１据置片及び第２据置片が折り畳まれるので、保管時に体積を最小化することができて、保管の容易性が増大され、速やかにカップキャリアを展開することができて、使用が簡便である。
【００２４】
第四に、第１把持片、第２把持片及び第３把持片にそれぞれカップを置くことができるので、一つのカップキャリアに多数のカップを収容することができる効果を期待することができる。
【００２５】
第五に、支持片を通じてカップの重量を効果的に支えることができて、カップキャリアの安全性を確保することができる効果を期待することができる。
【００２６】
第六に、可変手段を通じてカップの様々なサイズに合わせて固定具の直径を可変的に具現することができるので、様々なサイズのカップを収容することができるという効果を奏する。
【図面の簡単な説明】
【００２７】
【図１】従来技術による飲料容器キャリアを示す概念図である。
【図２】本発明によるカップキャリアの使用状態を示す斜視図である。
【図３】本発明によるカップキャリアの使用状態を示す斜視図である。
【図４】本発明によるカップキャリアの展開図である。
【図５】本発明によるカップキャリアで第３据置片を使用しない場合の使用状態を示す斜視図である。
【図６】第１可動片及び第２可動片の作用を説明するための概念図である。
【図７】第１可動片の先端がなす角度の調節例を示す概念図である。
【図８】カップキャリアの他の実施例による使用状態を示す斜視図である。
【図９】図８に示したカップキャリアの展開図である。
【図１０】図８に示したカップキャリアで第３据置片を使用しない場合の使用状態を示す斜視図である。
【図１１】板材の他の実施例を概略的に示した展開図である。
【図１２】板材の他の実施例を概略的に示した展開図である。
【図１３】本発明による広告板を説明するための概念図である。
【図１４】本発明による板材が底板で裁断される過程を概略的に説明するための概念図である。
【図１５】本発明によるカップキャリアの実際使用状態を示す写真である。
【発明を実施するための形態】
【００２８】
本発明を十分に理解するために、本発明の好ましい実施例を添付図面を参照して説明する。本発明の実施例は、様々な形態に変形することができ、本発明の範囲が以下で詳細に説明する実施例に限定されるものと解釈されてはならない。本実施例は、本技術分野において平均的な知識を有する者に本発明をより完全に説明するために提供されるものである。従って、図面における要素の形状などはより明確な説明を強調するために誇張されて表現されることができる。各図面では、同じ部材は同じ参照符号で示してあることに留意すべきである。本発明の要旨を不必要に曖昧にすると判断される公知機能及び構成に対する詳細な記述は省略される。
【００２９】
本発明によるカップキャリアは、第１板１１０と第２板１２０に分けられるように中心折曲線１４０によって半分に折り畳まれる板状の板材１００と、第１板１１０の上部の一部面が切開されて折り畳まれ、中央にカップを据え置くための第１固定具１１１ａが形成される第１据置片１１１と、第２板１２０の上部の一部面が切開されて折り畳まれ、中央にカップを据え置くための第２固定具１２１ａが形成される第２据置片１２１と、第１板１１０と第２板１２０の下部を同時に切開する一対の切開線２００によって板材１００に形成される第３据置片１３０とを含み、前記第１据置片１１１と第２据置片１２１の中の少なくともいずれか一つ以上に可動片が部分的に切開されて折り畳まれ、前記第３据置片１３０は、第１板１１０と第２板１２０とが互いに対向する方向に折り畳まれる時、第１板１１０と第２板１２０とが対向する内側に引き出されながら、仮想の中空部を形成して前記中空部にカップが置かれることができることを特徴とする。
【００３０】
より具体的には、板材１００は、図１４に示すように、基本的に略長方形の底板Ｂに複数の板材１００が連続的に配置されている状態で、公知のパンチャーによって裁断される。特に、前記底板Ｂは、様々な大きさで形成される再生紙、段ボールなどを含む、各種紙類や合成樹脂材料で備えられる。つまり、底板Ｂの材質によって後述するカップキャリアの材質が決められることができ、好ましくは、 全紙の大きさで備えられた底板Ｂに板材１００を形成することになる。
【００３１】
板材１００は、図２〜図４に示すように、平らな板状の形状で備えられ、板材１００の中央部分を横切る中心折曲線１４０によって第１板１１０と第２板１２０に分けられる。この時、第１板１１０と第２板１２０は中心折曲線１４０によって互いに対向するように折り畳まれるか、または後述する第３据置片１３０が作用する場合、所定の角度に開かれた状態で保持されることができるように具現した。
【００３２】
本実施例では、２つのカップが収容される場合、図５に示したように、第１板１１０と第２板１２０が隣接して対向するように折って使用し、３つのカップを収容しようとする場合、図２〜図３に示したように、第１板１１０と第２板１２０が所定の角度に開かれた状態で、第３据置片１３０が引き出されて、第３据置片１３０によってカップを収容することができるように具現した。第３据置片１３０の詳細な説明は後述する。
【００３３】
即ち、前記板材１００は、単にパンチャーによってパンチング加工されるので、従来のカップキャリアのように接着工程や付加的な組立工程を省略することができ、それにより、カップキャリアの生産性が向上され、生産コストを削減することができる。
【００３４】
一方、板材１００の外形は、図１２に示すように、円形、楕円形、及び多角形の中の少なくともいずれか一つ以上の外形で形成されることができ、本実施例では、多角形、より好ましくは長方形の形状で具現された板材１００について説明する。
【００３５】
また、第１据置片１１１及び第２据置片１２１と、第１固定具１１１ａ及び第２固定具１２１ａの形状も板材１００の形状と同様に、様々な形態の形状に変形実施されることができることはもちろんである。
【００３６】
第１据置片１１１、第２据置片１２１及び第３据置片１３０の具体的な説明に先立って、本実施例では、第１板１１０に第１据置片１１１が、第２板１２０に第２据置片１２１がそれぞれ形成される一例について説明する。
【００３７】
まず、第１据置片１１１は、前記第１板１１０の上部の一部面が略「∩」形状の第１切取線１１２によって切開されて、第１板１１０に対して垂直に折畳み可能に動作する。
【００３８】
この時、第１切取線１１２の両端を連結する第１垂直折曲線１１３によって第１据置片１１１が折畳み可能に動作する。
【００３９】
第１据置片１１１と第２据置片１２１が第１板１１０と第２板１２０でそれぞれ折り畳まれると、第１板１１０と第２板１２０の上端には、カップキャリアを把持することができる取っ手が自然に形成される。
【００４０】
第２据置片１２１は、前述した第１据置片１１１とその構成と作用が同一であるので、以下では詳細な説明は省略する。
【００４１】
続いて、第１据置片１１１には、カップを置くための第１固定具１１１ａが形成され、可動片が部分的に切開されて形成される。可動片が折られると、第１据置片１１１で第１固定具１１１ａが自然に形成される。
【００４２】
この時、可動片は、第１据置片１１１に形成される第１可動片１１１ｂと、第２据置片１２１に形成される第２可動片１２１ｂとにそれぞれ区分されることができる。
【００４３】
再び、第１可動片１１１ｂは、第１据置片１１１から完全に切開されて分割されるのではないので、第１据置片１１１で下方へ折ることができるように具現される。
【００４４】
一方、前記可動片は先端が折り畳まれることができるように折曲線が形成され、前記第１板１１０と第２板１２０の中の少なくともいずれか一つ以上の下部には折られた可動片の先端が挿入固定される挿入口が貫通して形成され、前記先端が挿入口に挿入固定されてカップの外周面を支持すればカップが水平に保持される。
【００４５】
より具体的には、前記折曲線は、第１可動片１１１ｂと第２可動片１２１ｂにそれぞれ形成される第１折曲線１１１ｃと第２折曲線１２１ｃとに区分され、前記挿入口は折られた第１可動片１１１ｂと第２可動片１２１ｂの先端がそれぞれ挿入固定される第１挿入口１１４と第２挿入口１２４とに区分される。
【００４６】
第１据置片１１１で第１可動片１１１ｂを下方へ第１固定具１１１ａを形成し、第１可動片１１１ｂの先端を折って第１挿入口１１４に挿入固定させれば、第１可動片１１１ｂが略「
2020521689.tif 000003
」字状に折曲される。
【００４７】
この状態で、第１固定具１１１ａにカップを置くと、カップの外周面が第１可動片１１１ｂに支持されるので、カップが偏心されなくなる。つまり、カップが水平を保つことができるので、カップの蓋が完全に閉まらなくなったり蓋のないカップも安定的な移動が可能になる。
【００４８】
一方、図７に示すように、第１可動片１１１ｂの先端がなす角度θを調節して、第１可動片１１１ｂが様々な勾配を有するカップを支持するようにすることもできる。
【００４９】
このために、第１挿入口１１４を上、下方向に複数形成し、この複数の第１挿入口１１４に第１可動片１１１ｂの先端を選択的に挿入固定させれば、第１可動片１１１ｂの先端がなす角度θを一定の範囲内で調節することができる。
【００５０】
次に、第３据置片１３０は、第１板１１０と第２板１２０の下部の一部面を略水平方向に同時に切開する一対の切開線２００によって板材１００に形成される。
【００５１】
より具体的に、板材１００には、第１板１１０と第２板１２０の一部を同時に切開し、上下方向に互いに離間して配置される一対の切開線２００が形成される。前記切開線２００によって板材１００に第３据置片１３０が形成され、第１板１１０と第２板１２０の動作によって選択的に第３据置片１３０が板材１００から引き出されるように作用する。
【００５２】
つまり、第３据置片１３０は、第１板１１０と第２板１２０とが互いに対向する方向に折り畳まれる時、第１板１１０と第２板１２０とが対向する内側に引き出されながら、仮想の中空部を形成するようになり、前記中空部にカップが置かれることができるように作用することになる。
【００５３】
この時、第３据置片１３０は、カップの外周面を把持するように略帯状に具現されることができるが、仮想の中空部を向けて勾配が形成されたカップが挿入されると、第３据置片１３０がカップの周囲を把持しながらカップキャリアでカップが自然に保持されることができるように作用する。
【００５４】
また、カップキャリアに２つ以下のカップを収容する場合には、第１板１１０と第２板１２０を対向するように折り畳んだ状態で、第１据置片１１１及び第２据置片１２１のみにカップを収容すればよい。即ち、第３据置片１３０を選択的に適用することができて、カップキャリアを効率的に使用することができる。
【００５５】
次に、本発明によるカップキャリアは、第１板１１０と第２板１２０とが互いに対向するように折り畳まれる時、第１板１１０と第２板１２０が折り畳まれた状態を保持するために板材１００に形成された固定手段３００をさらに含んで構成することができる。
【００５６】
この時、固定手段３００は、締結溝３１０と締結翼３２０を含んで構成され、締結溝３１０は第１板１１０の一側に第１板１１０を貫通して形成され、締結翼３２０は第２板１２０に形成され、第１板１１０と第２板１２０がそれぞれ対向して折り畳まれる時、前記締結溝３１０に対応する部分に形成される。この時、締結翼３２０は締結溝３１０に差し込まれることができるように、第２板１２０の一部が切開された状態で具現され、第１板１１０と第２板１２０が完全に接するように折り畳まれた状態で締結翼３２０が締結溝３１０に差し込まれ、第１板１１０と第２板１２０が互いに隣接した状態が保持されることができる。
【００５７】
一方、前記固定手段３００の締結溝３１０と締結翼３２０は一つの例であって、これに限定されるのではなく、第１板１１０と第２板１２０の状態を固定することができる多様な実施例を通じて変形することができることを明らかにする。
【００５８】
以下、添付される図面を参照して、本発明によるカップキャリアの他の実施例について説明する。前述した実施例と同一または類似する部分は重複を避けるために詳細な説明は省略する。
【００５９】
本実施例におけるカップキャリアは、第１固定具１１１ａと第２固定具１２１ａの中の少なくともいずれか一つ以上の直径を可変させることができるように、第１据置片１１１と第２据置片１２１の中の少なくともいずれか一つ以上に形成される可変手段４００をさらに含むことを特徴とする。
【００６０】
つまり、前述した実施例と異なって、本実施例では、第１可動片１１１ｂと第２可動片１２１ｂを形成せず、第１固定具１１１ａと第２固定具１２１ａが完全に打工形成され、これらの直径を可変させることができるという特徴がある。
【００６１】
一方、説明の便宜のために、本実施例では、第１据置片１１１に可変手段４００が形成された一例について説明する。
【００６２】
前記可変手段４００は、切り込み４１０と調節片４２０を含んで構成することができ、切り込み４１０を通じて第１据置片１１１で調節片４２０を選択的に除去されることができるように具現される。前記切り込み４１０を定義すれば、調節片４２０を第１据置片１１１で容易に除去するために鋭い道具を利用して第１固定具１１１ａの周囲に軽く切り出したものを意味する。
【００６３】
即ち、第１固定具１１１ａに収容されるカップの直径によって調節片４２０を第１据置片１１１で選択的に除去すれば、第１固定具１１１ａの直径を可変させることができるようになって、多様なサイズのカップをカップキャリアに収容することができる。
【００６４】
一方、第３据置片１３０に形成される仮想の中空部に範囲を拡大させるために板材１００には補助切り込み６００がさらに形成されることができる。この時、前記補助切り込み６００は、切開線２００の一側に延長され、切開線２００のように完全に板材１００を切開するのではなく、前述した切り込み４１０と同一に形成され、必要に応じて、第３据置片１３０の一側を第１板１１０から取り外すことができるようにして、仮想の中空部を拡張させることができるように作用する。従って、第３据置片１３０も前述した第１据置片１１１及び第２据置片１２１と同様に、様々なサイズのカップを収容することができる。
【００６５】
一方、図１１は略円形の板材１００を例示した。この場合には、カップキャリアが地面に置かれた時、偏心で傾く現象が発生することがある。この時、本実施例におけるカップキャリアは板材１００が偏心で傾くことを防止するように板材１００の一側に引き出されて地面に支持されるように、前記板材１００の一部が切開されて形成される支持片５００をさらに含んで構成することができる。
【００６６】
カップキャリアが地面に置かれる場合、支持片５００を地面に接するように引き出して折っておけば、カップキャリアが偏心で傾くことを防止することができて、カップキャリアの安全性を確保することができる。
【００６７】
また、図１３に示すように、本発明によるカップキャリアは広告板７００をさらに含んで構成されることができる。この時、広告板７００は、広報しようとするロゴや文具などがプリントされることができる部分で、第１板１１０と第２板１２０の中の少なくともいずれか一つ以上に形成されることができる。本実施例では、第１板１１０と第２板１２０の両方に広告板７００が形成された一例を示し、説明の便宜のために、第１板１１０に形成された広告板７００のみ説明する。
【００６８】
より具体的に、広告板７００は、第１固定具１１１ａの内部に位置し、第１板１１０と連結されるように具現することにより、第１据置片１１１が第１板１１０で折り畳まれても広告板７００は第１据置片１１１とともに折り畳まれないように具現した。
【００６９】
これに加えて、第１据置片１１１と第２据置片１２１の中の少なくともいずれか一つ以上にストローを差し込むことができるストロー固定具Ｈが打孔されることもできる。
【００７０】
図示しなかったが、第１支持片１１１に第１可動片１１１ｂを形成し、第２支持片１２１に可変手段４００を適用したカップキャリアを具現することもできる。
【００７１】
以上で説明された本発明の実施例は例示的なものに過ぎず、本発明が属する技術分野において通常の知識を有する者であれば、それから多様な変形及び均等な他の実施例が可能であることは自明である。従って、本発明は、上記詳細な説明に記載された形態のみに限定されるのではないことを理解すべきである。従って、本発明の真の技術的保護範囲は特許請求範囲の技術的思想によって定めるべきである。また、本発明は特許請求範囲によって定義される本発明の精神とその範囲内にあるすべての変形物と均等物及び代替物を含むものと理解すべきである。
【符号の説明】
【００７２】
１００：板材
１１０：第１板
１１１：第１据置片
１１１ａ：第１固定具
１１２：第２切取線
１２０：第２板
１２１：第２据置片
１２１ａ：第２固定具
１２２：第２切取線
１３０：第３据置片
１４０：中心折曲線
２００：切開線
３００：固定手段
４００：可変手段
５００：支持片
６００：補助切り込み
７００：広告板
Ｂ：底板
Ｈ：ストロー固定具
【図１】
2020521689.tif 000004
【図２】
2020521689.tif 000005
【図３】
2020521689.tif 000006
【図４】
2020521689.tif 000007
【図５】
2020521689.tif 000008
【図６】
2020521689.tif 000009
【図７】
2020521689.tif 000010
【図８】
2020521689.tif 000011
【図９】
2020521689.tif 000012
【図１０】
2020521689.tif 000013
【図１１】
2020521689.tif 000014
【図１２】
2020521689.tif 000015
【図１３】
2020521689.tif 000016
【図１４】
2020521689.tif 000017
【図１５】
2020521689.tif 000018
【国際調査報告】
2020521689.tif 000019
2020521689.tif 000020
2020521689.tif 000021
2020521689.tif 000022